(57)【要約】【課題】上部筐体の裏側にアンテナ収納部などの凸部を有する折り畳み式携帯通信端末をコンパクトに収納する。【解決手段】操作部１２１を有する下部筐体１２０と、表側に表示部１１１を有し、裏側にアンテナ収納部１１４を有する上部筐体１１０と、前記筐体１１０、１２０同士を折り畳み自在に連結する第一回動支軸１３１とを備える折り畳み式携帯電話機１００であって、前記第一回動支軸１３１の直交方向に沿い、前記上部筐体１１０の表裏反転回動を許容する第二回動支軸１３２と、前記下部筐体１２０に形成される凹部１２３とを更に備え、前記上部筐体１１０が表裏反転状態で折り畳まれたとき、前記上部筐体１１０のアンテナ収納部１１４を前記下部筐体１２０の凹部１２３に収納する。【選択図】      図３
2004179896.tif 000002
【特許請求の範囲】
【請求項１】
操作部を有する下部筐体と、
表側に表示部を有し、裏側に凸部を有する上部筐体と、
前記筐体同士を折り畳み自在に連結する回動支軸と
を備える折り畳み式携帯通信端末であって、
前記回動支軸の直交方向に沿い、前記上部筐体の表裏反転回動を許容する第二の回動支軸と、
前記下部筐体に形成される凹部とを更に備え、
前記上部筐体が表裏反転状態で折り畳まれたとき、前記上部筐体の凸部を前記下部筐体の凹部に収納する
ことを特徴とする折り畳み式携帯通信端末。
【請求項２】
前記凹部が、前記下部筐体の端部に形成されることを特徴とする請求項１記載の折り畳み式携帯通信端末。
【請求項３】
前記凹部の一側部が開放されていることを特徴とする請求項１又は２記載の折り畳み式携帯通信端末。
【請求項４】
操作部を有する下部筐体と、
表側に表示部を有し、裏側に凸部を有する上部筐体と、
前記筐体同士を折り畳み自在に連結する回動支軸と
を備える折り畳み式携帯通信端末であって、
前記回動支軸の直交方向に沿い、前記上部筐体の表裏反転回動を許容する第二の回動支軸が更に設けられ、
前記上部筐体が表裏反転状態で折り畳まれたとき、前記上部筐体の凸部を前記下部筐体の側部空間に収納する
ことを特徴とする折り畳み式携帯通信端末。
【請求項５】
前記側部空間が、前記下部筐体の幅を前記上部筐体よりも狭くすることにより確保されることを特徴とする請求項４記載の折り畳み式携帯通信端末。
【請求項６】
前記凸部が、アンテナ又はアンテナ収納部であることを特徴とする請求項１〜５のいずれかに記載の折り畳み式携帯通信端末。
【発明の詳細な説明】
【０００１】
【発明の属する技術分野】
本発明は、折り畳み式携帯電話機、折り畳み式携帯情報端末、折り畳み式携帯メール端末などの折り畳み式携帯通信端末に関し、特に、表示部が設けられる上部筐体を、表裏反転させた状態で折り畳むことができる折り畳み式携帯通信端末に関する。
【０００２】
【従来の技術】
近年、携帯電話機、携帯情報端末（ＰＤＡ）、携帯メール端末などの携帯通信端末が普及している。この種の携帯通信端末では、その携帯性を向上させるために、折り畳み式の筐体構造が広く採用されている。以下、従来の折り畳み式携帯電話機について、図８及び図９を参照して説明する。
【０００３】
図８の（ａ）及び（ｂ）は、従来の折り畳み式携帯電話機の折り畳み状態を示す正面図及び側面図、図９は、従来の折り畳み式携帯電話機の使用状態を示す説明図である。
【０００４】
これらの図に示すように、折り畳み式携帯電話機４００は、スピーカや表示部が設けられる上部筐体４１０と、マイクや操作部が設けられる下部筐体４２０とを備え、これらの筐体４１０、４２０を折り畳み自在に連結して構成されている。
【０００５】
また、上記従来の折り畳み式携帯電話機４００は、上部筐体４１０の裏側に、背面表示部４１１及びアンテナ４１２を備えている。
背面表示部４１１は、上部筐体４１０を折り畳んだ状態、つまり、メインの表示部が隠れた状態において、日付、曜日、時刻、電池残量、電波状況などの情報を利用者に提供するために設けられている。
【０００６】
アンテナ４１２は、伸縮式に構成されており、通信時には上部筐体４１０から引き出すことが要求される。しかしながら、アンテナ４１２を収納したまま通信が行われる場合もあるため、アンテナ収納部４１３を後方へ膨出させることが提案されている。
このように構成された折り畳み式携帯電話４００では、図９に示すように、利用者の頭部とアンテナ４１２との間に所定の距離が確保されるので、収納状態であっても必要なアンテナ特性を得ることが可能になる。
【０００７】
また、近年においては、上部筐体を表裏反転させた状態で折り畳むことができる折り畳み式携帯電話機が提案されている（例えば、特許文献１参照。）。このように構成された折り畳み式携帯電話機によれば、上部筐体を折り畳んでも、メインの表示部を見ることができるので、背面表示部を省略することにより、上部筐体の薄型化や、折り畳み式携帯電話機のコストダウンを図ることが可能になる。
【０００８】
【特許文献１】
特開２００２−１４１９８４号公報（第３−４頁、第２図）
【０００９】
【発明が解決しようとする課題】
ところで、上記従来の折り畳み式携帯電話機４００のように、上部筐体４１０の裏側にアンテナ収納部４１３のような凸部を有する場合、折り畳み収納時の厚さ寸法が大きくなるだけでなく、折り畳み式携帯電話機４００の出し入れに際し、凸部がポケットやバッグに引っ掛かりやすいという問題がある。
【００１０】
また、上部筐体４１０の裏側に凸部を有するものでは、特許文献１に示されるような折り畳み構造の採用が困難になるという問題もある。つまり、図８に示すような折り畳み式携帯電話機４００において、仮に、上部筐体４１０を表裏反転させた状態で折り畳むと、アンテナ収納部４１３が邪魔になり、上部筐体４１０を下部筐体４２０に重ね合わせることが困難になる。
【００１１】
このような問題は、上部筐体４１０の裏側に、アンテナ収納部４１３を備える折り畳み式携帯電話機４００に限らず、上部筐体４１０の裏側に、その他の凸部（例えば、カメラのレンズなど）を備える折り畳み式携帯通信端末でも生じる問題であり、その解決が課題となっている。
【００１２】
本発明は、上記の事情にかんがみなされたものであり、上部筐体の裏側にアンテナ収納部などの凸部を有するものでありながら、上部筐体を表裏反転させた状態で折り畳むことができる折り畳み式携帯通信端末の提供を目的とする。
【００１３】
【課題を解決するための手段】
上記目的を達成するため本発明の折り畳み式携帯通信端末は、操作部を有する下部筐体と、表側に表示部を有し、裏側に凸部を有する上部筐体と、前記筐体同士を折り畳み自在に連結する回動支軸とを備える折り畳み式携帯通信端末であって、前記回動支軸の直交方向に沿い、前記上部筐体の表裏反転回動を許容する第二の回動支軸と、前記下部筐体に形成される凹部とを更に備え、前記上部筐体が表裏反転状態で折り畳まれたとき、前記上部筐体の凸部を前記下部筐体の凹部に収納する構成としてある。
【００１４】
折り畳み式携帯通信端末をこのように構成すれば、上部筐体の裏側にアンテナ収納部などの凸部を有するものであっても、上部筐体を表裏反転させた状態で折り畳むことが可能になる。
これにより、収納時に上部筐体の凸部を隠し、折り畳み式携帯通信端末の収納サイズを小さくできるだけでなく、折り畳み式携帯通信端末の出し入れに際し、凸部がポケットやバッグに引っ掛かる不都合を回避することができる。
また、上部筐体を表裏反転させた状態で折り畳むことにより、背面表示部が不要になるため、上部筐体を更に薄くできるだけでなく、部品点数を削減してコストダウンを図ることができる。
【００１５】
また、本発明の折り畳み式携帯通信端末は、前記凹部が、前記下部筐体の端部に形成される構成としてある。
折り畳み式携帯通信端末をこのように構成すれば、下部筐体における操作部の配置に影響を与えることなく、下部筐体に凹部を形成することが可能になる。
【００１６】
また、本発明の折り畳み式携帯通信端末は、前記凹部の一側部が開放されている構成としてある。
折り畳み式携帯通信端末をこのように構成すれば、例えば、凹部にアンテナを収納する場合に、アンテナの周囲が全て下部筐体で覆われることなく、少なくとも一側部が開放されることになるため、折り畳み収納状態においても、アンテナ特性を維持することが可能になる。
【００１７】
また、本発明の折り畳み式携帯通信端末は、操作部を有する下部筐体と、表側に表示部を有し、裏側に凸部を有する上部筐体と、前記筐体同士を折り畳み自在に連結する回動支軸とを備える折り畳み式携帯通信端末であって、前記回動支軸の直交方向に沿い、前記上部筐体の表裏反転回動を許容する第二の回動支軸が更に設けられ、前記上部筐体が表裏反転状態で折り畳まれたとき、前記上部筐体の凸部を前記下部筐体の側部空間に収納する構成としてある。
【００１８】
折り畳み式携帯通信端末をこのように構成すれば、上部筐体の裏側にアンテナ収納部などの凸部を有するものであっても、上部筐体を表裏反転させた状態で折り畳むことが可能になる。
これにより、下部筐体に凹部を形成したものと同等の効果が得られるだけでなく、下部筐体に凹部を形成したものに比べ、下部筐体の形状を簡略化することができる。
【００１９】
また、本発明の折り畳み式携帯通信端末は、前記側部空間が、前記下部筐体の幅を前記上部筐体よりも狭くすることにより確保される構成としてある。
折り畳み式携帯通信端末をこのように構成すれば、下部筐体の幅を狭くするか、あるいは、上部筐体の幅を広くする程度の簡単な構成により、本発明を実施することが可能になる。
【００２０】
また、本発明の折り畳み式携帯通信端末は、前記凸部が、アンテナ又はアンテナ収納部で構成してある。
折り畳み式携帯通信端末をこのように構成すれば、アンテナを引き出すことなく通信が行われても、利用者の頭部とアンテナとの間に十分な距離を確保し、必要なアンテナ特性を維持できる。
しかも、折り畳み収納時には、アンテナ又はアンテナ収納部が下部筐体の凹部又は側部空間に収納されるため、折り畳み式携帯通信端末の収納サイズを小さくできるだけでなく、折り畳み式携帯通信端末の出し入れに際し、アンテナ又はアンテナ収納部がポケットやバッグに引っ掛かる不都合を回避することができる。
【００２１】
【発明の実施の形態】
以下、本発明の実施形態について、図面を参照して説明する。
［第一実施形態］
まず、本発明の第一実施形態について、図１〜図４を参照して説明する。
図１の（ａ），（ｂ）及び（ｃ）は、本発明の第一実施形態に係る折り畳み式携帯電話機の正面図、側面図及び背面図である。
この図に示すように、第一実施形態の折り畳み式携帯電話機１００は、上部筐体１１０と、下部筐体１２０と、両筐体１１０、１２０を折り畳み自在に連結するヒンジ部１３０とを備えて構成されている。
【００２２】
上部筐体１１０及び下部筐体１２０は、いずれも長方形の薄型筐体であり、幅及び高さ寸法もほぼ同じである。
上部筐体１１０の表側には、表示部１１１及び通話用のスピーカ１１２が設けられている。表示部１１１は、液晶表示パネルを用いて構成され、発信情報、着信情報、日付、曜日、時刻、電池残量、電波状況などの表示を行う。
【００２３】
上部筐体１１０の裏側には、アンテナ１１３を収納するアンテナ収納部１１４が形成されている。アンテナ収納部１１４は、上部筐体１１０の右端部に沿って形成され、アンテナ１１３を出し入れ自在（伸縮自在）に収納しており、通信時にはアンテナ収納部１１４からアンテナ１１３が引き出される。
【００２４】
アンテナ収納部１１４は、アンテナ１１３を収納したまま通信が行われる場合を想定し、後方へ膨出するように形成されている。これにより、利用者の頭部とアンテナ１１３との間に所定の距離を確保し、アンテナ１１３が収納状態であっても、必要なアンテナ特性を得ることが可能になる。
【００２５】
下部筐体１２０の表側には、操作部１２１及び通話用のマイク１２２が設けられている。操作部１２１は、複数の操作ボタン１２１ａを配置して構成され、これらのボタン操作により、折り畳み式携帯電話機１００における発信動作や着信動作が行われる。
【００２６】
ヒンジ部１３０は、第一回動支軸１３１及び第二回動支軸１３２を備えている。
第一回動支軸１３１は、左右方向を向いて設けられ、上部筐体１１０の折り畳み回動を許容する。
第二回動支軸１３２は、第一回動支軸１３１の直交方向に沿うように、第一回動支軸１３１と上部筐体１１０との間に設けられ、上部筐体１１０の表裏反転回動を許容する。
【００２７】
つまり、上部筐体１１０を表裏反転させることなく折り畳む第一の折り畳み収納姿勢と、上部筐体１１０を表裏反転させた状態で折り畳む第二の折り畳み収納姿勢とを選択することが可能になる。
そして、第二の折り畳み収納姿勢においては、上部筐体１１０を折り畳んでも、表示部１１１を見ることができるため、従来の背面表示部を省略し、上部筐体１１０の薄型化や折り畳み式携帯電話機１００のコストダウンを図ることが可能になる。
【００２８】
図２の（ａ）〜（ｃ）は、本発明の第一実施形態に係る折り畳み式携帯電話機の基板構成を示す説明図である。
この図に示すように、折り畳み式携帯電話機１００の基板１４０は、上部筐体１１０に組み込まれる上部基板１４１と、下部筐体１２０に組み込まれる下部基板１４２と、両基板１４１、１４２を連結する連結基板１４３とを備えて構成されている。
【００２９】
連結基板１４３は、クランク形状のフレキシブルプリント基板によって形成され、回動支軸１３１、１３２の中空部に挿通される。そして、連結基板１４３は、図２に示すように、上部筐体１１０の表裏反転動作に際し、上部筐体１１０が左右いずれの方向に回動しても、捻れることなく、湾曲状の変形によって上部筐体１１０の回動に追従する。これにより、捻れによる連結基板１４３の断線を防止することができる。
【００３０】
上記のように、上部筐体１１０を表裏反転させた状態で折り畳むにあたり、下部筐体１２０の表側左端部には、外側方が開放された凹部１２３が形成される。この凹部１２３には、上部筐体１１０が表裏反転状態で折り畳まれたとき、アンテナ収納部１１４が収納される。これにより、折り畳み収納時に、上部筐体１１０のアンテナ収納部１１４を下部筐体１２０側に収め、折り畳み式携帯電話機１００のコンパクトな収納が可能になるとともに、折り畳み式携帯電話機１００の出し入れに際し、アンテナ収納部１１４がポケットやバッグに引っ掛かる不都合を回避することが可能になる。
【００３１】
次に、折り畳み式携帯電話機１００の折り畳み収納手順について、図面を参照して説明する。ただし、上部筐体１１０を表裏反転させずに折り畳む場合の手順は、従来と同様であるため、説明を省略する。
図３の（ａ）〜（ｅ）は、本発明の第一実施形態に係る折り畳み式携帯電話機の折り畳み収納手順を示す正面図、図４の（ａ）〜（ｅ）は、本発明の第一実施形態に係る折り畳み式携帯電話機の折り畳み収納手順を示す側面図である。
【００３２】
これらの図に示すように、使用状態の折り畳み式携帯電話機１００（図３（ａ）、図４（ａ））を折り畳む場合は、まず、上部筐体１１０を左右いずれかの方向に回動させる（図３（ｂ）、図４（ｂ））。上部筐体１１０を下部筐体１２０に対して１８０゜回動させたら（図３（ｃ）、図４（ｃ））、続いて、上部筐体１１０を折り畳み方向に回動させる（図３（ｄ）、図４（ｄ））。そして、上部筐体１１０をほぼ１８０゜折り畳み方向に回動させると、上部筐体１１０のアンテナ収納部１１４が下部筐体１２０の凹部１２３に収納され、上部筐体１１０の折り畳みが完了する（図３（ｅ）、図４（ｅ））。
【００３３】
上記のように構成された第一実施形態の折り畳み式携帯電話機１００によれば、上部筐体１１０の裏側にアンテナ収納部１１４を有するものであっても、上部筐体１１０を表裏反転させた状態で折り畳むことが可能になる。そのため、折り畳み収納時に上部筐体１１０のアンテナ収納部１１４を隠し、折り畳み式携帯電話機１００の収納サイズを小さくできるだけでなく、折り畳み式携帯電話機１００の出し入れに際し、アンテナ収納部１１４がポケットやバッグに引っ掛かる不都合を回避することができる。
【００３４】
また、上部筐体１１０を表裏反転させた状態で折り畳むことにより、従来の背面表示部が不要になるため、上部筐体１１０を更に薄くできるだけでなく、部品点数を削減してコストダウンを図ることができる。
【００３５】
また、凹部１２３が、下部筐体１２０の端部に形成されるため、下部筐体１２０における操作部１２１の配置に影響を与えることなく、下部筐体１２０に凹部１２３を形成することが可能になる。
【００３６】
また、凹部１２３の外側部が開放されているため、アンテナ収納部１１４の周囲を全て下部筐体１２０で覆うことなく、少なくとも外側部を開放し、その結果、折り畳み収納状態においても、アンテナ特性を維持することができる。
【００３７】
［第二実施形態］
次に、本発明の第二実施形態について、図５の（ａ）〜（ｅ）を参照して説明する。ただし、第一実施形態と共通の部分は、詳細な説明を省略する。
図５は、本発明の第二実施形態に係る折り畳み式携帯電話機の折り畳み収納手順を示す正面図である。
【００３８】
この図に示すように、第二実施形態の折り畳み式携帯電話機２００は、上部筐体２１０が表裏反転状態で折り畳まれたとき、上部筐体２１０のアンテナ収納部２１４を下部筐体２２０の側部空間２２３に収納する点が第一実施形態と相違する。
具体的には、下部筐体２２０の幅を上部筐体２１０よりも狭くすることにより、側部空間２２３を確保している。
【００３９】
上記のように構成された第二実施形態の折り畳み式携帯電話機２００によれば、上部筐体２１０の裏側にアンテナ収納部２１４を有するものであっても、上部筐体２１０を表裏反転させた状態で折り畳むことが可能になる。
これにより、下部筐体２２０に凹部を形成した第一実施形態と同等の効果が得られるだけでなく、下部筐体２２０に凹部を形成したものに比べ、下部筐体２２０の形状を簡略化することができる。
【００４０】
また、側部空間２２３は、下部筐体２２０の幅を上部筐体２１０よりも狭くすることにより確保されるので、下部筐体２２０の幅を狭くするか、或いは、上部筐体２１０の幅を広くする程度の簡単な構成により、本発明を実施することが可能になる。
【００４１】
［第三実施形態］
次に、本発明の第三実施形態について、図６及び図７を参照して説明する。ただし、第一実施形態と共通の部分は、第一実施形態における符号の百の位を３とし、詳細な説明を省略する。
図６の（ａ）及び（ｂ）は、本発明の第三実施形態に係る折り畳み式携帯情報端末の正面図及び側面図、図７の（ａ）及び（ｂ）は、本発明の第三実施形態に係る折り畳み式携帯情報端末の折り畳み収納状態を示す平面図及び側面図である。
【００４２】
この図に示すように、第三実施形態では、第一実施形態と同様な折り畳み収納構造を、折り畳み式携帯情報端末（又は携帯メール端末）３００に適用している。
具体的に説明すると、折り畳み式携帯情報端末３００は、表示部３１１及びアンテナ収納部３１４が設けられる上部筐体３１０と、操作部３２１が設けられる下部筐体３２０と、両筐体３１０、３２０を折り畳み自在に連結するヒンジ部３３０とを備えて構成されている。
【００４３】
ヒンジ部３３０は、第一実施形態のものと同様に、上部筐体３１０の折り畳み回動及び表裏反転回動を許容する。
また、下部筐体３２０の左端部には、凹部３２３が形成されており、上部筐体３１０が表裏反転状態で折り畳まれると、凹部３２３にアンテナ収納部３１４が収納される。
【００４４】
このように構成された第三実施形態の折り畳み式携帯情報端末３００によれば、上部筐体３１０の裏側にアンテナ収納部３１４などの凸部を有するものであっても、上部筐体３１０を表裏反転させた状態で折り畳むことが可能になる。
これにより、折り畳み式携帯情報端末３００であっても第一実施形態と同等の効果が得られる。しかも、折り畳み式携帯情報端末３００では、携帯電話機に比べ、下部筐体３２０に配置的な余裕があるため、操作部３２１の配置を圧迫することなく、凹部３２３を形成することができる。
【００４５】
【発明の効果】
以上のように、本発明によれば、上部筐体の裏側にアンテナ収納部などの凸部を有するものでありながら、上部筐体を表裏反転させた状態で折り畳むことができる。
しかも、収納時に上部筐体の凸部を下部筐体の凹部又は側部空間に収納するため、折り畳み式携帯通信端末の収納サイズを小さくできるだけでなく、折り畳み式携帯通信端末の出し入れに際し、凸部がポケットやバッグに引っ掛かる不都合を回避することができる。
また、上部筐体を表裏反転させた状態で折り畳むことにより、背面表示部が不要になるため、上部筐体を更に薄くできるだけでなく、部品点数を削減してコストダウンを図ることができる。
【図面の簡単な説明】
【図１】（ａ）〜（ｃ）は、本発明の第一実施形態に係る折り畳み式携帯電話機の正面図、側面図及び背面図である。
【図２】（ａ）〜（ｃ）は、本発明の第一実施形態に係る折り畳み式携帯電話機の基板構成を示す説明図である。
【図３】（ａ）〜（ｅ）は、本発明の第一実施形態に係る折り畳み式携帯電話機の折り畳み収納手順を示す正面図である。
【図４】（ａ）〜（ｅ）は、本発明の第一実施形態に係る折り畳み式携帯電話機の折り畳み収納手順を示す側面図である。
【図５】（ａ）〜（ｅ）は、本発明の第二実施形態に係る折り畳み式携帯電話機の折り畳み収納手順を示す正面図である。
【図６】（ａ）及び（ｂ）は、本発明の第三実施形態に係る折り畳み式携帯情報端末の正面図及び側面図である。
【図７】（ａ）及び（ｂ）は、本発明の第三実施形態に係る折り畳み式携帯情報端末の折り畳み収納状態を示す平面図及び側面図である。
【図８】（ａ）及び（ｂ）は、従来の折り畳み式携帯電話機の折り畳み状態を示す正面図及び側面図である。
【図９】従来の折り畳み式携帯電話機の使用状態を示す説明図である。
【符号の説明】
１００  折り畳み式携帯電話機
１１０  上部筐体
１１１  表示部
１１３  アンテナ
１１４  アンテナ収納部
１２０  下部筐体
１２１  操作部
１２３  凹部
１３０  ヒンジ部
１３１  第一回動支軸
１３２  第二回動支軸
１４０  基板
２００  折り畳み式携帯電話機
２１０  上部筐体
２１４  アンテナ収納部
２２０  下部筐体
２２３  側部空間
３００  折り畳み式携帯情報端末
３１０  上部筐体
３１１  表示部
３１４  アンテナ収納部
３２０  下部筐体
３２１  操作部
３２３  凹部
３３０  ヒンジ部
【図１】
2004179896.tif 000003
【図２】
2004179896.tif 000004
【図３】
2004179896.tif 000005
【図４】
2004179896.tif 000006
【図５】
2004179896.tif 000007
【図６】
2004179896.tif 000008
【図７】
2004179896.tif 000009
【図８】
2004179896.tif 000010
【図９】
2004179896.tif 000011